(57)【要約】      （修正有）【課題】超小型マグネット接続器の安定した電気的接続は困難を呈しており、小型化と安定した電気的接続が得られる接続器を提供する。【解決手段】プラグ１１に内装されプラグ側接続面１１ａに突設させた複数の接続ピン１２と、接続ピン１２に沿って両側に埋設したプラグ側ネオジウム磁石１３と、プラグ受けに内装されプラグ受け側接続面に接続ピン１２と接続する先端を露出して埋設した複数の接続端子と、接続端子に沿って両側に埋設したプラグ受け側ネオジウム磁石とを備え、プラグ側ネオジウム磁石１３とプラグ受け側ネオジウム磁石とは接続面側の極性を相違させて埋設して逆接続防止機能を備えたものである。【選択図】図１
2010198774.tif 000002
【特許請求の範囲】
【請求項１】
複数の接続ピンにより電気的接続をするプラグとプラグ受けとから成る超小型マグネット接続器であって、前記プラグに一定間隔を有して平行に内装されプラグ側接続面に先端辺を夫々突設させた複数の接続ピンと、前記複数の接続ピンに沿って両側に夫々埋設したプラグ側ネオジウム磁石と、前記プラグ受けに一定間隔を有して平行に内装されプラグ受け側接続面に前記複数の接続ピンと夫々接続する先端を露出して埋設した複数の接続端子と、該複数の接続端子に沿って両側に夫々埋設したプラグ受け側ネオジウム磁石と、を備え、前記プラグ側ネオジウム磁石と前記プラグ受け側ネオジウム磁石とは夫々の接続面側の極性を相違させて埋設して逆接続防止機能を備えたことを特徴とする超小型マグネット接続器。
【請求項２】
前記プラグに装着する接続ピン破損防止カバーであって、前記プラグのプラグ側接続面に略長方形状に開口させ少なくとも上方が前記複数の接続ピンと前記両側のプラグ側ネオジウム磁石とを囲うように形成したカバー用挿入部と、該カバー用挿入部に摺動自在に挿入した少なくとも上方が略長方形筒状のカバー側面と、該カバー側面の基端辺の両側から延設し前記プラグ側ネオジウム磁石の基端側に位置するように夫々内側に折曲させて取着したカバー磁着部と、該カバー磁着部が前記プラグと前記プラグ受けとが解放された状態で前記プラグ側ネオジウム磁石の基端側に磁着すると共に前記カバー側面の先端は前記複数の接続ピンの先端を越えて突出し、前記プラグと前記プラグ受けとが接続した状態では前記カバー磁着部と前記プラグ側ネオジウム磁石の基端側とが磁力に抗して離間すると共に前記カバー側面の先端が前記プラグの前記カバー用挿入部に埋没されることを特徴とする請求項１に記載の超小型マグネット接続器。
【発明の詳細な説明】
【技術分野】
【０００１】
本発明は、プラグとプラグ受けとの超小型マグネット接続器に関するものであり、更に詳細には、特に、医療分野で用いられる、例えば、サルの脳波の研究のためにサルの脳に埋め込まれるような超小型のマグネット磁着式の接続器に関するものである。
【背景技術】
【０００２】
従来、この種の超小型の接続器の安定した電気的接続は困難を呈しており、その殆どはプラグとプラグ受けとから長円状の接続部を立ち上げて嵌合させることで接続をしていたが、小型化と安定した電気的接続が得られない課題を有していた。
【０００３】
先に開示されているものは、例えば、配線接続時に相互接続される一対のコネクタ（１）（２）からなる配線接続ターミナルであって、両コネクタ（１）（２）は、コネクタ本体（１０）（２０）を接続するとともに配線（１１）（２１）を電気接続する導電性磁石（１２）（２２）を有しており、 導電性磁石がネオジウム磁石であるもの（特許文献１参照）や、コネクタ本体３から平行に突出した複数のコネクタピン４と、このコネクタピン４の周囲を囲むとともにコネクタ本体３に対して進退してコネクタピン４を出没させる保護体５と、コネクタ本体３に対し保護体５を遠ざける方向に付勢する付勢機構６とを備えた。保護対５は、付勢機構６によってコネクタ本体３から遠ざけられるので、他に外力が作用しなければ、コネクタ本体３から突出するコネクタピン４を囲んで保護する。外力の作用により、保護体５をコネクタ本体３側に移動させると、コネクタピン４は保護体５から外方に突出した状態となり、他のコネクタ接続体と電気的に接続可能となるもの（特許文献２参照）等が開示されている。
【特許文献１】特開２００３−３６９３３号公報
【特許文献２】特開２００５−２７６７０８号公報
【発明の開示】
【発明が解決しようとする課題】
【０００４】
然し乍ら、前述の開示されている特許文献１に記載のものは、導電性磁石にネオジウム磁石を用いているものであるが、両側に埋設した円板状の導電性磁石（ネオジウム磁石）を直接磁着させることで導電させ、導電性磁石に配線を接続することで電気的接続を図るものであるが、多芯の接続ピンを備える超小型接続器に適応することはできず、また、特許文献２に記載のものは、コネクタピンの保護を図るものであるが、付勢機構６等を組み込むもので超小型化は無理なものであった。
【課題を解決するための手段】
【０００５】
本発明は前記課題に鑑み、鋭意研鑽の結果、これらの課題を解決するもので、複数の接続ピンにより電気的接続をするプラグとプラグ受けとから成る超小型マグネット接続器であって、プラグに内装されプラグ側接続面に先端辺を突設させた複数の接続ピンと、複数の接続ピンに沿って両側に埋設したプラグ側ネオジウム磁石と、プラグ受けに内装されプラグ受け側接続面に複数の接続ピンと接続する先端を露出して埋設した複数の接続端子と、複数の接続端子に沿って両側に埋設したプラグ受け側ネオジウム磁石と、を備え、プラグ側ネオジウム磁石とプラグ受け側ネオジウム磁石とは接続面側の極性を相違させて埋設して逆接続防止機能を備えたものであり、更に、プラグに装着する接続ピン破損防止カバーであって、プラグのプラグ側接続面に略長方形状に開口させ少なくとも上方が複数の接続ピンと両側のプラグ側ネオジウム磁石とを囲うように形成したカバー用挿入部と、カバー用挿入部に摺動自在に挿入した少なくとも上方が略長方形筒状のカバー側面と、カバー側面の基端辺の両側から延設しプラグ側ネオジウム磁石の基端側に位置するように内側に折曲させて取着したカバー磁着部と、カバー磁着部がプラグとプラグ受けとが解放された状態でプラグ側ネオジウム磁石の基端側に磁着すると共にカバー側面の先端は複数の接続ピンの先端を越えて突出し、プラグとプラグ受けとが接続した状態ではカバー磁着部とプラグ側ネオジウム磁石の基端側とが磁力に抗して離間すると共にカバー側面の先端がプラグのカバー用挿入部に埋没されるものである。
【発明の効果】
【０００６】
本発明の超小型マグネット接続器は、複数の接続ピンにより電気的接続をするプラグとプラグ受けから成るもので、プラグに埋設した両側のプラグ側ネオジウム磁石と、プラグ受けに埋設した両側のプラグ受け側ネオジウム磁石とにより、強力に磁着できると共に、プラグ側ネオジウム磁石とプラグ受け側ネオジウム磁石とは極性を相違させて埋設して逆接続防止機能を備えたことにより、超小型マグネット接続器の逆接続を簡易で小型化の図れる構造で防止でき、また、磁着による簡易で小型化の図れる構造の接続ピン破損防止カバーを内装させたことにより、接続ピンの先端が保護される超小型マグネット接続器とすることができ、画期的で実用性の高い有効な発明である。
【発明を実施するための最良の形態】
【０００７】
以下、本発明の超小型マグネット接続器の実施の形態を図面によって具体的に説明すると、図１は本発明の超小型マグネット接続器のプラグの実施例の解放時の平面説明図であり、図２は本発明の超小型マグネット接続器のプラグの実施例の接続時の平面説明図であり、図３は本発明の超小型マグネット接続器のプラグ受けの実施例の底面図であり、図４は本発明の超小型マグネット接続器のプラグ受けの実施例の平面図である。
【０００８】
本発明は、プラグとプラグ受けとの超小型マグネット接続器に関するものであり、更に詳細には、特に、医療分野で用いられる、例えば、サルの脳波の研究のためにサルの脳に埋め込まれるような超小型のマグネット磁着式の接続器に関するものであり、請求項１に記載の超小型マグネット接続器は、複数の接続ピン１２により電気的接続をするプラグ１１とプラグ受け２１から成る超小型マグネット接続器であって、前記プラグ１１に一定間隔を有して平行に内装されプラグ側接続面１１ａに先端辺を夫々突設させた複数の接続ピン１２と、前記複数の接続ピン１２に沿って両側に夫々埋設したプラグ側ネオジウム磁石１３と、前記プラグ受け２１に一定間隔を有して平行に内装されプラグ受け側接続面２１ａに前記複数の接続ピン１２と夫々接続する先端を露出して埋設した複数の接続端子２２と、該複数の接続端子２２に沿って両側に夫々埋設したプラグ受け側ネオジウム磁石２３と、を備え、前記プラグ側ネオジウム磁石１３と前記プラグ受け側ネオジウム磁石２３とは夫々の接続面側の極性を相違させて埋設して逆接続防止機能を備えたことを特徴とするものである。
【０００９】
更に、請求項２に記載の超小型マグネット接続器は、請求項１に記載の超小型マグネット接続器において、前記プラグ１１に装着する接続ピン破損防止カバー１４であって、前記プラグ１１のプラグ側接続面１１ａに略長方形状に開口させ少なくとも上方が前記複数の接続ピン１２と前記両側のプラグ側ネオジウム磁石１３とを囲うように形成したカバー用挿入部１１ｂと、該カバー用挿入部１１ｂに摺動自在に挿入した少なくとも上方が略長方形筒状のカバー側面１４ａと、該カバー側面１４ａの基端辺の両側から延設し前記プラグ側ネオジウム磁石１３の基端側に位置するように夫々内側に折曲させて取着したカバー磁着部１４ｂと、該カバー磁着部１４ｂが前記プラグ１１と前記プラグ受け２１とが解放された状態で前記プラグ側ネオジウム磁石１３の基端側に磁着すると共に前記カバー側面１４ａの先端は前記複数の接続ピン１２の先端を越えて突出し、前記プラグ１１と前記プラグ受け２１とが接続した状態では前記カバー磁着部１４ｂと前記プラグ側ネオジウム磁石１３の基端側とが磁力に抗して離間すると共に前記カバー側面１４ａの先端が前記プラグ１１の前記カバー用挿入部１１ｂに埋没されることを特徴とするものである。
【実施例】
【００１０】
即ち、本発明の超小型マグネット接続器は、プラグ１１とプラグ受け２１とから成り着脱可能なもので、プラグ１１は縦２４．５ｍｍ×巾１８．６ｍｍ×高さ６．３ｍｍ程度で、プラグ受け２１は縦９．５ｍｍ×巾１８．６ｍｍ×高さ６．３ｍｍ程度の超小型の夫々合成樹脂で形成されたケーシングであり、プラグ１１から突出させた後述する複数の接続ピン１２と、フラグ受けに露出させた後述する複数の接続端子２２とを接続させて電気的接続をするものである。
【００１１】
そして、複数の接続ピン１２は、図１に図示する実施例では８本であるがその数は限定しないもので、プラグ１１に一定間隔を有して平行に内装され基端側は夫々半田付け等の手段によりコードに接続されており、コードは電源又は周辺機器に接続され、複数の接続ピン１２の先端辺はプラグ側接続面１１ａに夫々突設させているもので、先端辺は後述する複数の接続端子２２と着脱可能に接続されるものである。
【００１２】
次に、プラグ側ネオジウム磁石１３は、円柱状の一対のもので複数の接続ピン１２の両側のプラグ１１に夫々埋設しているもので、プラグ１１のケーシングから露出させないことにより劣化することもなく半永久的に磁力を維持できるものである。
【００１３】
次いで、複数の接続端子２２は、複数の接続ピン１２を挿通させて夫々接続するために、プラグ受け２１のプラグ受け側接続面２１ａにピン挿通孔を開口させた先端を露出すると共に、基端側は一定間隔を有して平行に内装され、更に、基端は周辺機器に接続するための端子と接続され、該端子は横方に突出させているものである。
【００１４】
更に、プラグ受け側ネオジウム磁石２３は、円柱状のもので複数の接続端子２２に沿ってプラグ受け２１の両側に夫々埋設しているもので、プラグ側ネオジウム磁石１３と同様にプラグ受け２１のケーシングから露出させないことにより劣化することもなく半永久的に磁力を維持できるものである。
【００１５】
つまり、プラグ側ネオジウム磁石１３とプラグ受け側ネオジウム磁石２３とはプラグ１１とプラグ受け２１とに露出することなく完全に埋設されており、周知のように、ネオジウム磁石は従来汎用されているフェライト磁石より遙かに強力な磁力を備えているもので、プラグ側接続面１１ａとプラグ受け側接続面２１ａとを接続すると、プラグ１１とプラグ受け２１とが強力に磁着できるものである。
【００１６】
そして、プラグ側ネオジウム磁石１３とプラグ受け側ネオジウム磁石２３とは夫々の接続面側の極性を相違させて埋設して逆接続防止機能を備えたもので、周知のように磁石はＮ極とＳ極から成り、異極同士は磁着し同極同士は反発することから、極性を相違させて埋設することにより左右対称に成形されたプラグ１１とプラグ受け２１であっても、予め設定した一定方向にしか接続できず、誤って逆方向に接続することは皆無となるものである。
【００１７】
更には、本発明の超小型マグネット接続器の次実施例は、プラグ１１に装着する接続ピン破損防止カバー１４であって、摺動の際にプラグ側ネオジウム磁石１３の影響を受けない磁着不可能なステンレスや合成樹脂で形成され、プラグ１１のプラグ側接続面１１ａに突出させた複数の接続ピン１２の解放時に保護をするものである。
【００１８】
更に、カバー用挿入部１１ｂは、プラグ１１のプラグ側接続面１１ａに略長方形状に開口させており、上方は少なくとも複数の接続ピン１２と両側のプラグ側ネオジウム磁石１３とを囲うように筒状に刻設しているものである。
【００１９】
次に、カバー側面１４ａは、前記カバー用挿入部１１ｂに摺動自在に挿入した少なくとも上方が略長方形筒状に形成しているもので、全長にわたって略長方形筒状に形成しても構わないものであるが、突出した接続ピン１２の外方が囲まれていれば良いものである。
【００２０】
次いで、カバー磁着部１４ｂは、カバー側面１４ａの基端辺の両側から延設させると共に内側に折曲させて上下に磁着可能な鉄系金属を取着したもので、両側のプラグ側ネオジウム磁石１３の基端側に夫々位置するように形成したものである。
【００２１】
そして、カバー磁着部１４ｂがプラグ１１とプラグ受け２１とが解放された状態で、プラグ側ネオジウム磁石１３の基端側に磁着することにより、カバー側面１４ａの先端は複数の接続ピン１２の先端を越えて突出するもので、この状態で不使用時の接続ピン１２の破損を防止するものである。
【００２２】
次に、プラグ１１とプラグ受け２１とが接続した状態では、カバー磁着部１４ｂとプラグ側ネオジウム磁石１３の基端側とが磁力に抗して離間すると共に、カバー側面１４ａの先端がプラグ１１のカバー用挿入部１１ｂに埋没されるものである。
【００２３】
つまり、プラグ１１とプラグ受け２１が解放時には、接続ピン破損防止カバー１４のカバー磁着部１４ｂがプラグ側ネオジウム磁石１３の基端側に磁着しており、カバー側面１４ａの先端は複数の接続ピン１２の先端を越えて突出することにより接続ピン１２の破損を防止し、プラグ１１とプラグ受け２１とを接続させる時、プラグ受け接続面により接続ピン破損防止カバー１４が押圧され、その押圧力により、カバー磁着部１４ｂとプラグ側ネオジウム磁石１３の基端側とが離間し、接続ピン破損防止カバー１４はプラグ１１のカバー用挿入部１１ｂに完全に埋没すると共に、接続ピン１２と接続端子２２とは接続するものであり、他の部位は実施例と同じなので詳述は省略する。
【産業上の利用可能性】
【００２４】
本発明の超小型マグネット接続器は、複数の接続ピンにより電気的接続をするプラグとプラグ受け２１から成るもので、プラグに埋設した両側のプラグ側ネオジウム磁石と、プラグ受けに埋設した両側のプラグ受け側ネオジウム磁石２３とにより、強力に磁着できると共に、プラグ側ネオジウム磁石とプラグ受け側ネオジウム磁石２３とは極性を相違させて埋設して逆接続防止機能を備えたことにより、超小型マグネット接続器の逆接続を防止でき、また、磁着による接続ピン破損防止カバー１４を内装させたことにより接続ピンの先端が保護される超小型マグネット接続器とすることができ超小型マグネット接続器の提供である。
【図面の簡単な説明】
【００２５】
【図１】図１は本発明の超小型マグネット接続器のプラグの実施例の解放時の平面説明図である。
【図２】図２は本発明の超小型マグネット接続器のプラグの実施例の接続時の平面説明図である。
【図３】図３は本発明の超小型マグネット接続器のプラグ受けの実施例の底面図である。
【図４】図４は本発明の超小型マグネット接続器のプラグ受けの実施例の平面図である。
【符号の説明】
【００２６】
１１    プラグ
１１ａ  プラグ側接続面
１１ｂ  カバー挿入部
１２    接続ピン
１３    プラグ側ネオジウム磁石
１４    接続ピン破損防止カバー
１４ａ  カバー側面
１４ｂ  カバー磁着部
２１    プラグ受け
２１ａ  プラグ受け側接続面
２２    接続端子
２３    プラグ受け側ネオジウム磁石
【図１】
2010198774.tif 000003
【図２】
2010198774.tif 000004
【図３】
2010198774.tif 000005
【図４】
2010198774.tif 000006